(57)【要約】【課題】電気接続箱内のバスバーと接続する端子及び該端子を取り付けている電線にプロテクタを外装することにより、端子の破損を防止し、電気接続の信頼性を高める。【解決手段】本体部と該本体部の一側縁に薄肉ヒンジを介して一体的に設けた蓋部を備え、本体部に電線を１本ずつ挿通する凹部を設けていると共に、該凹部の先端に連続した端子位置決め保持部を設けており、端子位置決め保持部に電線端末の端子を収容した状態で蓋を本体部に被せて結合すると、該本体部の他側縁と蓋部の隙間から端子の屈曲部が突出し、該プロテクタを電気接続箱に付設すると端子の屈曲部が電気接続箱内のバスバー上面に載置され、端子とバスバーとを電気接続箱内に固定しているナットにボルト締めで接続固定している。【選択図】  図８
2004236449.tif 000002
【特許請求の範囲】
【請求項１】
直角に屈曲すると共に該屈曲部側にボルト穴を設けた端子を接続した電線をプロテクタに通し、該プロテクタを電気接続箱の外面に取り付けると該電気接続箱内のバスバー上に上記電線端末の端子が突出し、該端子とバスバーとを電気接続箱内に固定しているナットにボルト締めで接続固定するために用いるプロテクタであって、
本体部と、該本体部の一側縁に薄肉ヒンジを介して一体的に設けた蓋部を備え、上記本体部に上記電線を１本ずつ挿通する凹部を設けていると共に、該凹部の先端に連続した端子位置決め保持部を設けており、
上記端子位置決め保持部に上記電線端末の端子を収容した状態で上記蓋を本体部に被せて結合すると、該本体部の他側縁と上記蓋部の隙間から上記端子の屈曲部が突出し、該プロテクタを上記電気接続箱に付設すると上記端子の屈曲部が電気接続箱内のバスバー上面に載置される構成としている電気接続箱に付設するプロテクタ。
【請求項２】
上記蓋部の内面にロック爪を突設している一方、上記本体部にロック爪が挿入係止するロック穴を設け、かつ、上記蓋部あるいは本体部に電気接続箱との係止部を設けている請求項１に記載の電気接続箱に付設するプロテクタ。
【請求項３】
上記プロテクタに挿通する電線にコルゲートチューブを外装しており、上記本体部の電線挿通用の凹部の電線挿入側先端位置の内面および該先端位置に対向する蓋部の内面に、コルゲートチューブの凹部に係止するリブを設けている請求項１または請求項２に記載の電気接続箱に付設するプロテクタ。
【発明の詳細な説明】
【０００１】
【発明が属する技術分野】
本発明は、電気接続箱に付設するプロテクタに関し、プロテクタ内に挿通する電線の端末に取り付けた端子と電気接続箱内のバスバーとを確実に接続するものである。
【０００２】
【従来の技術】
従来、電線の端末に取り付けた端子を電気接続箱内のバスバーにボルト締めで接続するものとして、特開２００１−５２７７２号において、図９に示す端子取付構造が提供されている。この端子取付構造は、電気接続箱１の外面１ａに端子収容部２を突設し、該端子収容部２内に、電気接続箱内のバスバー（図示せず）と接続したスタッドボルト３を上方に向けて突設する一方、上記端子収容部２に収容する端子４としてＬ型端子を用い、電線ｗに圧着する圧着部４ａに対して電気接触部４ｂを屈曲し、該電気接触部４ｂに設けたボルト穴４ｃをスタッドボルト３に通した後、ナット６をスタットボルト３に螺着して、端子４と電気接続箱内のバスバーとを電気接続している。
【０００３】
【特許文献１】
特開２００１−５２７７２号公報
【０００４】
【発明が解決しようとする課題】
しかしながら、上記端子取付構造であると、端子４及び端子４を接続している電線ｗが電気接続箱１の外部で露出しているので、電線ｗに引っ張りや曲げが生じると、圧着部４ａと端子本体４ｂとの間の屈曲部に応力が集中し、該屈曲部に破断が生じて、端子４と電気接続箱内のバスバーとの電気接続に不具合が生じる恐れがある。
【０００５】
本発明は上記問題に鑑みてなされたものであり、電気接続箱内のバスバーと接続する端子及び該端子を取り付けている電線にプロテクタを外装することにより、端子の破損を防止し、電気接続の信頼性を高めることを課題としている。
【０００６】
【課題を解決するための手段】
上記課題を解決するため、本発明は、直角に屈曲すると共に該屈曲部側にボルト穴を設けた端子を接続した電線をプロテクタに通し、該プロテクタを電気接続箱の外面に取り付けると該電気接続箱内のバスバー上に上記電線端末の端子が突出し、該端子とバスバーとを電気接続箱内に固定しているナットにボルト締めで接続固定するために用いるプロテクタであって、
本体部と、該本体部の一側縁に薄肉ヒンジを介して一体的に設けた蓋部を備え、上記本体部に上記電線を１本ずつ挿通する凹部を設けていると共に、該凹部の先端に連続した端子位置決め保持部を設けており、
上記端子位置決め保持部に上記電線端末の端子を収容した状態で上記蓋を本体部に被せて結合すると、該本体部の他側縁と上記蓋部の隙間から上記端子の屈曲部が突出し、該プロテクタを上記電気接続箱に付設すると上記端子の屈曲部が電気接続箱内のバスバー上面に載置される構成としている電気接続箱に付設するプロテクタを提供している。
【０００７】
上記構成とすると、電気接続箱内のバスバーと接続する端子及び該端子を取り付けている電線を上記プロテクタ内に収容し、該プロテクタを電気接続箱に付設しているので、端子の破損を防止することができ、端子とバスバーとの電気接続の信頼性を高めることができる。
【０００８】
上記蓋部の内面にロック爪を突設している一方、上記本体部にロック爪が挿入係止するロック穴を設け、かつ、上記蓋部あるいは本体部に電気接続箱との係止部を設けている。
【０００９】
上記構成とすると、蓋部に設けたロック爪を本体部に設けたロック穴に挿入係止して、本体部と蓋部とをロック結合することにより、端子位置決め保持部内に嵌め込んだ端子を蓋部により押さえ込んで、端子を端子位置決め保持部内に確実に収容して位置決めすることができる。また、蓋部あるいは本体部に設けた電気接続箱との係止部により、プロテクタを電気接続箱に位置決めすることができるので、バスバーと端子の位置決めがしやすく、ボルト締め作業を容易にすることができる。
【００１０】
上記プロテクタに挿通する電線にコルゲートチューブを外装しており、上記本体部の電線挿通用の凹部の電線挿入側先端位置の内面および該先端位置に対向する蓋部の内面に、コルゲートチューブの凹部に係止するリブを設けている。
【００１１】
上記構成とすると、上記リブを電線に外装したコルゲートチューブの凹部に係止しているので、コルゲートチューブの位置決めを容易にすることができる。また、コルゲートチューブをプロテクタ内に位置決め固定しているので、電線に引っ張りや曲げが生じても端子には応力がかからず、端子の破損を防止することができる。
【００１２】
【発明の実施の形態】
以下、本発明の実施の形態を図面を参照して説明する。
図１乃至図８は、本発明の実施形態を示し、プロテクタ１０は、本体部１１と蓋部１２とからなり、本体部１１と蓋部１２とは、薄肉ヒンジ１３を介して一体成形している。
【００１３】
図１または図３に示すように、本体部１１は、その長さ方向に電線ｗ１、ｗ２を１本ずつ挿通する凹部１４、１５を設け、プロテクタ内部側先端位置を端子位置決め保持部１４ａ、１５ａとする一方、他端側の電線挿入側先端位置を電線ｗ１、ｗ２に外装したコルゲートチューブ３０を係止するコルゲートチューブ係止部１４ｂ、１５ｂとし、端子位置決め保持部１４ａ、１５ａとコルゲートチューブ係止部１４ｂ、１５ｂの間の空間を、電線ｗ１、ｗ２の端末に取り付ける端子２０、２１の圧着部２０ａ、２１ａを収容する圧着部収容空間１４ｃ、１５ｃとしている。また、上方に位置する凹部１４は、下方に位置する凹部１５よりも電線挿入側に突出している。
【００１４】
凹部１４、１５の端子位置決め保持部１４ａ、１５ａは圧着部収容空間１４ｃ、１５ｃに対して上方に９０°屈曲して、本体部１１の上端に設けた上端壁１１ａまで延在し、その深さは端子位置決め保持部１４ａ、１５ａに収容する端子２０、２１の厚さと略同程度としている。コルゲートチューブ係止部１４ｂ、１５ｂの内周面には、電線ｗ１、ｗ２に外装したコルゲートチューブ３０の凹部３０ａに係止するリブ１４ｂ−１、１５ｂ−１を設けると共に、蓋部１２に設けたロック爪１２ａ−１、１２ｂ−１を挿入係止するロック穴１４ｂ−２、１５ｂ−２を設けている。
【００１５】
本体部１１の上端壁１１ａには、その端部から、プロテクタ１０を電気接続箱４０の外面に付設したときに、電気接続箱４０の側壁の一部をなす垂直壁１１ｂを上方に向けて突設し、該垂直壁１１ｂには、電気接続箱４０の側壁４０ａに引っ掛けてプロテクタ１０を電気接続箱４０に係止する係止部１１ｃを設けている。また、コルゲートチューブ係止部１４の外周面には、内部にロック爪１１ｄ−１を備えたロック部１１ｄを設けると共に、端子位置決め保持部１４ａ、１５ａの近傍には、蓋部１２の内周面に設けたロック爪１２ｄを挿入係止するロック穴１１ｅを２つ設けている。
【００１６】
上記本体部１１の下端縁に設けた薄肉ヒンジ１３を介して本体部１１と一体成形している蓋部１２は、本体部１１の内周面側を閉鎖する形状とし、蓋部１２により本体部１１を閉鎖したときに、本体部１１の上端壁１１ａと蓋部の上端縁１２ｇとの間からプロテクタ１０内に収容した端子２０、２１の屈曲部２０ｃ、２１ｃが突出する隙間を設けている。蓋部１２の内面には、本体部１１のコルゲートチューブ係止部１４ｂ、１５ｂに対向する位置にコルゲートチューブ３０の凹部３０ａに係止するリブ１２ａ、１２ｂを設け、該リブ１２ａ、１２ｂには、本体部１１のロック穴１４ｂ−２、１５ｂ−２に挿入係止するロック爪１２ａ−１、１２ｂ−１を設けている。また、リブ１２ｂ近傍の縁部には本体部１１のロック部１１ｄに挿入してロック爪１１ｄ−１に係止するロック枠１２ｃを設けると共に、本体部１１のロック穴１１ｅに対向する位置の蓋部１２の内面に、ロック爪１２ｄを突設している。
【００１７】
また、図２に示すように、蓋部１２の外面には、電気接続箱４０の側壁４０ａ外面に当接する突起１２ｅを２つ突設すると共に、電気接続箱４０の側壁４０ａに面接触する位置ズレ防止用のリブ１２ｆを設けて、プロテクタ１０を電気接続箱４０に安定した状態で付設できるようにしている。
【００１８】
図４は、プロテクタ１０内に収容するＬ型端子２０、２１を示し、図４（Ａ）に示す端子２０は、端子位置決め保持部１４ａに収容するものであり、図４（Ｂ）に示す端子２１は端子位置決め保持部１５ａに収容するものである。該端子２０、２１は、端部に電線ｗ１、ｗ２の芯線に圧着する筒状の圧着部２０ａ、２１ａを備えると共に、圧着部２０ａ、２１ａから連続して延在する中間部２０ｂ、２１ｂを本体部１１の端子位置決め保持部１４ａ、１５ａと略同形状とし、さらに、その端部を圧着部２０ａ、２１ａと反対方向に９０°屈曲させて屈曲部２０ｃ、２１ｃとして、該屈曲部２０ｃ、２１ｃにボルト穴２０ｄ、２１ｄを設けている。なお、端子２１の中間部２１ｂは、端子２０の中間部２０ｂよりも長く設定している。
【００１９】
本体部１１の凹部１４に挿通する電線ｗ１の芯線に端子２０の圧着部２０ａを圧着して端子２０を取り付けると共に、電線ｗ１の端末近傍に長さ方向に凹部３０ａと凸部３０ｂとを連続してなるコルゲートチューブ３０を外装している。同様に、本体部１１の凹部１５に挿通する電線ｗ２の端末に端子２１を取り付けると共に、端末近傍にコルゲートチューブ３０を外装している。
【００２０】
図５に示すように、端子２０とコルゲートチューブ３０を備えた電線ｗ１の端子２０の中間部２０ｂを本体部１１の端子位置決め保持部１４ａに収容すると共に、コルゲートチューブ３０の凹部３０ａにコルゲートチューブ係止部１４ｂのリブ１４ｂ−１を係止して、電線ｗ１を凹部１４に収容している。同様に電線ｗ２に取り付けた端子２１の中間部２１ｂを端子位置決め保持部１５ａに収容すると共に、コルゲートチューブ３０の凹部３０ａにリブ１５ｂ−１を係止して電線ｗ２を凹部１５に収容している。
【００２１】
電線ｗ１、ｗ２の端部をプロテクタ１０内に収容した後、図６に示すように、プロテクタ１０の蓋部１２を薄肉ヒンジ１３を中心として本体部１１側に回動し、蓋部１２のロック爪１２ａ−１、１２ｂ−１、１２ｄ及びロック枠１２ｃを本体部１１のロック穴１４ｂ−２、１５ｂ−２、１１ｅ及びロック部１１ｄにそれぞれ挿入係止し、本体部１１と蓋部１２とをロック結合している。このとき、図６（Ｂ）に示すように、本体部１１の上端壁１１ａと蓋部１２の上端縁１２ｇとの隙間から端子２０、２１の屈曲部２０ｃ、２１ｃが突出している。
【００２２】
電気接続箱４０は、図７に示すように、側壁４０ａを外方に突出してプロテクタ１０を付設するプロテクタ付設部４１を設け、該プロテクタ付設部４１の上端部に、プロテクタ１０の垂直壁１１ｂを配置する切欠４１ａを設けている。電気接続箱４０内のプロテクタ付設部４１近傍には、バスバー４２、４３の一端を配置し、該端部にボルト穴４２ａ、４３ａを設ける一方、他端は電気接続箱４０内に延在して、電気接続箱４０内の電気部品に接続されている。また、バスバー４２、４３に設けたボルト穴４２ａ、４３ａの下部にはナット（図示せず）を固定している。
【００２３】
次に、プロテクタ１０の電気接続箱４０への付設方法について説明する。
まず、本体部１１の垂直壁１１ｂに設けた係止部１１ｃをプロテクタ付設部４１の切欠４１ａを通して側壁４０ａに引っ掛けて、垂直壁１１ｂを切欠４１ａに配置する。次いで、プロテクタ１０の下部を電気接続箱４０に近づけていくと、蓋部１２の外面に設けた突起１２ｅの先端部が電気接続箱４０の側壁４０ａに当接し、さらに、リブ１２ｆが側壁４０ａと面接触して、プロテクタ１０が電気接続箱４０に安定した状態で仮係止される。このとき、プロテクタ１０内から突出した端子２０、２１の屈曲部２０ｃ、２１ｃが電気接続箱４０内のバスバー４２、４３上に配置されている。そこで、ボルト穴２０ｄ、４２ａ及びボルト穴２１ｄ、４３ａにそれぞれボルト（図示せず）を通して、端子２０とバスバー４２、端子２１とバスバー４３をそれぞれボルト締め固定することにより電気接続している。最後に、電気接続箱４０に蓋（図示せず）をし、プロテクタ１０の垂直壁１１ｂと係止部１１ｃを電気接続箱４０内に収容して、プロテクタ１０も電気接続箱４０に固定して付設している。
【００２４】
上記構成とすると、電気接続箱４０内のバスバー４２、４３と接続する端子２０、２１及び該端子２０、２１を取り付けている電線ｗ１、ｗ２をプロテクタ１０内に収容し、該プロテクタ１０を電気接続箱４０に付設しているので、端子２０、２１の破損を防止することができ、端子２０、２１とバスバー４２、４３との電気接続の信頼性を高めることができる。
【００２５】
また、蓋部１２に設けたロック爪１２ｄを本体部１１に設けたロック穴１１ｅに挿入係止して、本体部１１と蓋部１２とをロック結合することにより、端子位置決め保持部１４ａ、１５ａ内に嵌め込んだ端子２０、２１を蓋部１２により押さえ込んで、端子２０、２１を端子位置決め保持部１４ａ、１５ａ内に確実に収容して位置決めすることができる。また、本体部１１に設けた電気接続箱４０との係止部１１ｃにより、プロテクタ１０を電気接続箱４０に位置決めすることができるので、バスバー４２、４３と端子２０、２１の位置決めがしやすく、ボルト締め作業を容易にすることができる。
【００２６】
さらに、リブ１４ｂ−１、１５ｂ−１を電線ｗ１、ｗ２に外装したコルゲートチューブ３０の凹部３０ａに係止しているので、コルゲートチューブ３０の位置決めを容易にすることができる。また、コルゲートチューブ３０をプロテクタ１０内に位置決め固定しているので、電線ｗ１、ｗ２に引っ張りや曲げが生じても端子２０、２１には応力がかからず、端子２０、２１の破損を防止することができる。
【００２７】
【発明の効果】
以上の説明より明らかなように、本発明によれば、電気接続箱内のバスバーと接続する端子及び該端子を取り付けている電線を上記プロテクタ内に収容し、該プロテクタを電気接続箱に付設しているので、端子の破損を防止することができ、端子とバスバーとの電気接続の信頼性を高めることができる。
【００２８】
また、蓋部に設けたロック爪を本体部に設けたロック穴に挿入係止して、本体部と蓋部とをロック結合すると、端子位置決め保持部内に嵌め込んだ端子を蓋部により押さえ込んで、端子を端子位置決め保持部内に確実に収容して位置決めすることができる。また、蓋部あるいは本体部に電気接続箱との係止部を設けると、プロテクタを電気接続箱に位置決めすることができるので、バスバーと端子の位置決めがしやすく、ボルト締め作業を容易にすることができる。
【００２９】
さらに、コルゲートチューブ係止用のリブを設けて、電線に外装したコルゲートチューブの凹部に係止すると、コルゲートチューブの位置決めを容易にすることができる。この場合、コルゲートチューブをプロテクタ内に位置決め固定しているので、電線に引っ張りや曲げが生じても端子には応力がかからず、端子の破損を防止することができる。
【図面の簡単な説明】
【図１】プロテクタの内面側の斜視図である。
【図２】プロテクタの外面側の斜視図である。
【図３】本体部の平面図である。
【図４】（Ａ）（Ｂ）は端子の斜視図である。
【図５】本体部に電線を収容した状態を示す図面である。
【図６】本体部と蓋部とをロック結合した状態を示し、（Ａ）は平面図、（Ｂ）は左側面図である。
【図７】電気接続箱の概略斜視図である。
【図８】電気接続箱にプロテクタを付設した状態を示す図面である。
【図９】従来例を示す図面である。
【符号の説明】
１０  プロテクタ
１１  本体部
１１ａ  上端壁
１１ｂ  垂直壁
１１ｃ  係止部
１２  蓋部
１２ａ、１２ｂ  リブ
１２ｅ  突起
１２ｆ  リブ
１４、１５  凹部
１４ａ、１５ａ  端子位置決め保持部
１４ｂ、１５ｂ  コルゲートチューブ係止部
２０、２１  端子
２０ｃ、２１ｃ  屈曲部
３０  コルゲートチューブ
４０  電気接続箱
４１  プロテクタ付設部
４２、４３  バスバー
【図１】
2004236449.tif 000003
【図２】
2004236449.tif 000004
【図３】
2004236449.tif 000005
【図４】
2004236449.tif 000006
【図５】
2004236449.tif 000007
【図６】
2004236449.tif 000008
【図７】
2004236449.tif 000009
【図８】
2004236449.tif 000010
【図９】
2004236449.tif 000011